(57)【要約】【課題】  商品展示台を立てるのに必要な脚部品に掛かる部品代や作業代を低減させる。また一枚の板状体から展示台を立体的に起こすことが容易に行ない得るようにする。【解決手段】  板状体を横方向に山折りにして脚部とし、板状体を縦方向に刻設した左右２本の切り込み線とこの左右の切り込み線を結ぶように設けた谷折り線とによって、前記板状体に左右の枠部と、前記谷折り線より下側の台部と、前記谷折り線より上側の背部とを形成し、この状態を前記脚部によって固定出来るように構成する。【選択図】図１
2007325899.tif 000002
【特許請求の範囲】
【請求項１】
板状体に、板状体の上下端部を残すようにして縦方向に刻設した左右２本の切り込み線と、この左右の切り込み線の上側の端部同士を結ぶ横方向の山折り線並びに左右の切り込み線の下側の端部同士を結ぶ横方向の山折り線と、この上下の山折り線の間で下側の山折り線に近い部分に左右の切り込み線を結ぶように設けた谷折り線とによって、前記板状体に右右の枠部と前記谷折り線より下側の台部と前記谷折り線より上側の背部とを形成可能に設ける。
前記板状体の前記下側の山折り線よりも下側の、板状体を横断する山折り線によって、この山折り線より下側の部分を脚部とするか、または前記板状体の前記上側の山折り線よりも上側の、板状体を横断する山折り線によって、この山折り線より上側の部分を脚部として形成可能に設ける。
前記脚部またはこの脚部以外の部位によって前記台部または前記背部を後方に引き、この状態を固定し得るように接続部を設ける。
以上のように構成されていることを特徴とする脚部一体型の商品展示台。
【請求項２】
板状体に、板状体の上下端部を残すようにして縦方向に刻設した左右２本の切り込み線と、この左右の切り込み線を結ぶように設けた谷折り線とによって、前記板状体に左右の枠部と、前記谷折り線より下側の台部と前記谷折り線より上側の背部とを形成可能に設ける。
前記板状体の前記左右の切り込み線の下側の端部よりも下側の、板状体を横断する山折り線によって、この山折り線より下側の部分を脚部とするか、または前記板状体の前記左右の切り込み線の上側の端部よりも上側の、板状体を横断する山折り線によって、この山折り線より上側の部分を脚部として形成可能に設ける。
前記脚部またはこの脚部以外の部位によって前記台部または前記背部を後方に引き、この状態を固定し得るように接続部を設ける。
以上のように構成されていることを特徴とする脚部一体型の商品展示台。
【請求項３】
前記台部に切り込み線を設けこの切り込み線の内側の部分を立ち上げて掛止片とした、請求項１または請求項２に記載の脚部一体型の商品展示台。
【請求項４】
前記左右２本の切り込み線の何れか一または両方に、前記背部または前記台部に掛かる切り込み線を設けて掛止片とした、請求項１または請求項２に記載の脚部一体型の商品展示台。
【請求項５】
前記板状体の左右に形成される前記枠部の間に帯を掛け渡した、請求項１または請求項２に記載の脚部一体型の商品展示台。
【請求項６】
前記板状体の左右に形成される前記枠部の間に透明な板状体を張った、請求項１または請求項２に記載の脚部一体型の商品展示台。
【請求項７】
前記背部に凹部または切欠部を設けてここに商品を填め込めるようにした、請求項１または請求項２に記載の脚部一体型の商品展示台。
【請求項８】
前記左右の枠部と前記谷折り線より下側の台部と前記谷折り線より上側の背部とが形成された前記板状体を複数個備えている、請求項１または請求項２に記載の脚部一体型の商品展示台。
【発明の詳細な説明】
【技術分野】
【０００１】  この発明は、全体を立てて支えるための脚部が展示台部分と一体に形成されると共に、展示台部分がもともと平板でありながらより立体的に形成されるようにした、脚部一体型の商品展示台に関するものである。
【背景技術】
【０００２】  商品を立ち姿勢で展示しようとする場合の、商品を支持する展示台部分の支えとして、従来では展示台の背面部に別部品である脚部を接着するなどして取り付けていた。例えば実用新案登録第３０５９３６４号の「メッセージフォトフレーム写真立て」ではその図３から明かとなるように、イラストボード紙の様な厚紙製のフレーム前面部分１とフレーム後ろ面５とから成るフレームを立たせるために、フレーム後ろ面５の部分の好きな位置に別部品である三脚接着部分６を貼り合わせて使用するようにしている。なおこのフレームに写真を飾るには、フレーム前面部分１に開けたフォトスペース３に写真を入れてから、写真押さえ枠２をフォトスペース３に填め込むようにする。
【特許文献１】実用新案登録第３０５９３６４号公報（主として図３）
【発明の開示】
【発明が解決しようとする課題】
【０００３】  上述した実用新案登録第３０５９３６４号の「メッセージフォトフレーム写真立て」によれば、フレーム前面部分１とフレーム後ろ面５とを合わせて成るフレームを立たせるためには、三脚接着部分６を別途製作しておき、これをフレーム後ろ面５に接着しなくてはならないのである。すなわち別部品である三脚接着部分６を用意しておく必要がありまたこれをフレーム後ろ面５に接着すると言う作業を必要としている。このため部品代や作業代がかさんでコストアップに繋がっている。【０００４】  また実用新案登録第３０５９３６４号によれば、前記フレームはフレーム前面部分１とフレーム後ろ面５とを合わせた構造となっている。これはほぼ平板状であって、それほど興趣を催させるようなものではない。これを立体的なものにしようとすると、新たに飾りの部品を取り付けて奥行きを出すなどの工夫を必要としてコストアップを招くことは必至である。【０００５】  従ってこの発明では上述したような問題点を解決して、上記原因によるコストアップを排しつつ容易に脚部付きの商品展示台を提供することを目的とする。また展示台の立体化が容易に行なえるようにすることを目的とする。
【課題を解決するための手段】
【０００６】  上記課題は次のように構成されていることを特徴とする脚部一体型の商品展示台とすることにより達成される。すなわち（１）板状体に、板状体の上下端部を残すようにして縦方向に刻設した左右２本の切り込み線と、この左右の切り込み線の上側の端部同士を結ぶ横方向の山折り線並びに左右の切り込み線の下側の端部同士を結ぶ横方向の山折り線と、この上下の山折り線の間で下側の山折り線に近い部分に左右の切り込み線を結ぶように設けた谷折り線とによって、前記板状体に左右の枠部と前記谷折り線より下側の台部と前記谷折り線より上側の背部とを形成可能に設ける。（２）前記板状体の前記下側の山折り線よりも下側の、板状体を横断する山折り線によって、この山折り線より下側の部分を脚部とするか、または前記板状体の前記上側の山折り線よりも上側の、板状体を横断する山折り線によって、この山折り線より上側の部分を脚部として形成可能に設ける。（３）前記脚部またはこの脚部以外の部位によって前記台部または前記背部を後方に引き、この状態を固定し得るように接続部を設ける。【０００７】  この請求項１の発明の脚部一体型の商品展示台は、一枚の板状体から脚部付きの商品展示台を起こす（組み立てる）ものであり、またこの際に商品展示台の部位が自動的に立体的に形成されるものである。すなわち先ず上記（１）の上側の山折り線並びに下側の山折り線を山折りにして山折りの癖を、また前記谷折り線を谷折りにして谷折りの癖を付けておく。次に上記（２）の板状体を横断する山折り線から山折りにすると脚部が形成され、この脚部を以ってこの脚部以外の部位を立てることが出来る。そこで上記（３）の接続部を用いて台部または背部を後方に引くと、上記（１）の特に谷折り線がはっきりと折られてこの谷折り線より下側の台部とこの谷折り線より上側の背部とが形成され、同時に前記板状体に左右の枠部が形成されて、立体化する。そして（３）の接続部がこの立体化されて奥行きが生じた状態を固定する。このためこの脚部一体型の商品展示台は、前記脚部による立設状態が固定され、商品を前記台部に置き前記背部に持たせ掛けて展示することが出来るのである。【０００８】  なお上記（２）で、前記板状体の前記下側の山折り線よりも下側の、板状体を横断する山折り線によってこの山折り線より下側の部分を脚部とする場合では、この状態を横方向から見て例えば鋭角Ｌ字形状のようになるし、または前記板状体の前記上側の山折り線よりも上側の、板状体を横断する山折り線によってこの山折り線より上側の部分を脚部とする場合では、この状態を横方向から見て例えばＡ字形状のようになる。あるいは上記２種の脚部を共に備えるような構成とすることも可能である。【０００９】  なお上記（３）の接続部に関しては、前記脚部によって前記台部または前記背部を後方に引くようにする構成が上げられる。また前記台部または前記背部を、前記脚部以外の部位によって後方に引くようにする構成が上げられるが、この場合の脚部以外の部位とは、例えば台部と背部そのものを上げることが出来る。と言うのも、前記谷折り線がある故に台部と背部とは近付くことが可能であるために両者を組み付けることが出来、両者を後方に引いた状態が実現出来���またこの状態を固定出来るのである。従って組み付け可能に設けられた台部と背部とは接続部であると言える。あるいは脚部以外の部位の例として前記左右の枠部の縁部を後方に折り曲げて出来る折曲片を上げることが可能である。【００１０】  また上記課題は次のように構成されていることを特徴とする脚部一体型の商品展示台とすることにより達成される。すなわち（１）板状体に、板状体の上下端部を残すようにして縦方向に刻設した左右２本の切り込み線と、この左右の切り込み線を結ぶように設けた谷折り線とによって、前記板状体に左右の枠部と、前記谷折り線より下側の台部と前記谷折り線より上側の背部とを形成可能に設ける。（２）前記板状体の前記左右の切り込み線の下側の端部よりも下側の、板状体を横断する山折り線によってこの山折り線より下側の部分を脚部とするか、または前記板状体の前記左右の切り込み線の上側の端部よりも上側の、板状体を横断する山折り線によって、この山折り線より上側の部分を脚部として形成可能に設ける。（３）前記脚部またはこの脚部以外の部位によって前記台部または前記背部を後方に引き、この状態を固定し得るように接続部を設ける。【００１１】  この請求項２の発明の脚部一体型の商品展示台は、その組み立て方や作用効果を上述した請求項１の発明の商品展示台に倣うものであるが、前記上側の山折り線並びに下側の山折り線が形成されておらず、前記谷折り線を谷折りにして谷折りの癖を付けるだけである点に特徴を有する。これはすなわち請求項１の山折り線や谷折り線が角度を持たずアールが付いた状態のものでも、山折り線や谷折り線と呼び得るものであることを示している。このような構成であるため、上記（２）の山折り線から山折りにして脚部を形成し、この脚部を以ってこの山折り線より上の部位を立て、上記（３）の接続部を用いて台部または背部を後方に引いて台部と背部とを形成すると共に左右の枠部を形成して立体化し、またこの接続部でこの立体化されて奥行きが生じた状態を固定する。ここで重要な点は、上述したように請求項１の発明の商品展示台では（１）の上側の山折り線及び下側の山折り線が形成されるが、この請求項２の発明の商品展示台ではこれ等の部位に山折り線は形成されずアール（カーブ）が形成される点である。何れにせよ前記谷折り線より下側の台部と上側の背部とは、はっきりと形成され、同時に前記板状体に左右の枠部が形成されて立体化するのである。従って商品を前記台部に置いて前記背部に持たせ掛けて展示することが出来るようになる。【００１２】  次に上述した２種商品展示台に関して、前記台部に切り込み線を設けこの切り込み線の内側の部分を立ち上げて掛止片とするようにしても良い。なおこの掛止片は１個でも複数個でも良い。【００１３】  この掛止片を立ち上げておくと、商品を台部に置いた時に商品がこの掛止片に掛かるため、不本意に台部から外れるような事態が防止される。なおこの掛止片を立ち上げるための折り線は、請求項１の商品展示台の場合には前記下側の山折り線に一致させるようにすることが可能である。【００１４】  また上述した２種の商品展示台に関して、前記左右２本の切り込み線の何れか一または両方に、前記背部または前記台部に掛かる切り込み線を設けて掛止片とするようにしても良い。なおこの掛止片は１個でも複数個でも良い。【００１５】  上述したように前記接続部を用いて台部または背部を後方に引くことにより、前記谷折り線より下側の台部とこの谷折り線より上側の背部とが形成されると同時に前記板状体に左右の枠部が形成されて、全体が立体化するわけであるが、この際に掛止片が前記枠部から突出するようになる。このため商品を台部に置いた時に商品がこの掛止片に掛かって、不本意に台部から外れるような事態が防止される。なおこの掛止片は前記枠部の左右何れか一側に設ければ良いが、これを両側に設けるようにすれば更に良い。【００１６】  また上述した２種の商品展示台に関して、前記板状体の左右に形成される前記枠部の間に帯を掛け渡すようにしても良い。【００１７】  この帯の存在することによって商品を台部に置いた時に商品がこの帯に抑さえられて、不本意に台部から外れるような事態が防止される。なおこの帯は透明であっても不透明であっても良いのであるが、透明であれば商品を帯によって隠さずに済むので、そのようなことが望ましい用途に適する。【００１８】  また上述した２種の商品展示台に関して、前記板状体の左右に形成される前記枠部の間に透明な板状体を張るようにしても良い。【００１９】  この透明な板状体は台部に置いた商品をカバーして塵や汚れの付着などを防止してくれたり、商品を美しく見せてくれたり、商品が不本意に台部から外れるようなことを防止してくれる。なお前記台部に切り込み線を設け、下縁部に挿入突起を形成した透明な板状体を、この挿入突起を前記切り込み線に挿入するようにして取り付けるように設計することも可能である。用途用途によって自由にデザインすれば良い。【００２０】  また上述した２種の商品展示台に関して、前記背部に凹部または切欠部を設けてここに商品を填め込めるようにしても良い。これは前記背部を実際に凹ませたり切欠したりする以外にも、例えば発泡スチロール製の枠体を前記背部に接着するなどして実現することが可能である。【００２１】  これは展示する商品を単に前記台部上に載置すると言うのではなく、前記凹部や切欠部に填め込むようにしてしっかりと固定しようと言うのである。例えば化粧品の瓶の展示等に最適である。【００２２】  また上述した２種の商品展示台に関して、前記左右の枠部と前記谷折り線より下側の台部と前記谷折り線より上側の背部とが形成された前記板状体を複数個備えているようにしても良い。前記板状体を複数個備えていると言う場合、２枚の前記板状体を背中合わせにして一体化させることや、上下や左右に並べて一体化させることも可能である。【００２３】  このような構成によれば、展示面（背部や台部）を表裏などの異なる方向に向けたり、あるいは同じ方向でも複数の展示面を見せることが出来るようになる。
【発明の効果】
【００２４】  この発明によれば、一枚の板状体から切り込み線や折り線によって脚部や商品展示台を立体的に形成したり、接続部によってこの立体化した状態を固定的に維持することが出来るようになった。この結果、商品展示台を一枚の板状体から容易に組み立てられ、立体的に見せることが出来、しかもより低コストであると言う効果を奏する。なお組み立てるまでは平板であるから郵送なども容易であり低コストである。
【発明を実施するための最良の形態】
【００２５】  以下ではこの発明の幾つかの実施形態を図面を参照しつつ説明するが、この発明はこれ等の実施形態にのみ限定されるものではない。例えば素材に厚紙を用いる他に、合成樹脂製の薄板など任意に選択可能である。展示に対応する商品に限定はなく、例えば電子辞書や携帯電話機などの電子機器（開いた状態でのディスプレ−も可能）、カレンダーや絵本や雑誌の類、手帳やバインダーなどの文房具類、写真やブロマイド、ＣＤや化粧品容器、人形や雑誌の付録、求人案内や旅行案内やフライヤーの類等々ありとあらゆるものを展示することが可能であり、また可能なように製作すれば良い。【００２６】  第１実施形態
図１乃至図３を用いてＣＤ（Ｃｏｍｐａｃｔ  Ｄｉｓｃ）用の商品展示台を説明する。厚紙１は山折り線３２を以て図の上下方向に２分割され、下側が脚部１３となる。また上側の部位には縦（図の上下方向）に２本の切り込み線２，２が上下端部を残すようにして刻設されており、２本の切り込み線２，２の外側が枠部１０となる。この切り込み線２，２の上側の端部同士を結ぶ横方向の山折り線３と、切り込み線２，２の下側の端部同士を結ぶ横方向の山折り線３０と、これ等の山折り線３，３０の間で下側の山折り線３０に近い部分に左右の切り込み線を結ぶように設けた谷折り線３１とが設けられている。ここで谷折り線３１を折ることでその下側の台部１１と上側の背部１２との間に角度が形成されて、山折り線３，３０の間の距離が縮まることにより、左右の枠部１０，１０がたわんで、この辺りが立体化することになる。【００２７】  次に前記脚部１３に付いてであるが、山折り線３２の下方に左右両側から中央に向けて切り込む略Ｖ字状の切り込み線２０，２０が設けられている。この略Ｖ字状の各々の切り込み線２０の先端部から脚部１３の下縁部に掛けて山折り線３３が形成されており、ここで山折りにすることによって支持片１４が得られる。この支持片１４のほぼ中央には三角形状の挿入孔１５が開孔されており、ここに後述する固定片１６の先端部の挿入部１７が挿入されることになる。なおこの脚部１３の部位を、この商品展示台の組み立て方を表示するなどした告知面とすることが出来る。【００２８】  さて前記山折り線３３の上方への延長線上には、前記谷折り線３１から始まる山折り線３４が形成可能となるように、ここから谷折り線３１上を切り込み線２に至る切り込み線２１が刻設されていると共に、山折り線３４の上端部から切り込み線２に至る切り込み線２２が刻設されている。この切り込み線２２の形状は山折り線３４で山折りした際に立ち上がる固定片１６の先端部に挿入部１７が形成されるような形状を呈している。【００２９】  このように製造された厚紙１を山折り線から山折り、谷折り線から谷折り、枠部１０や台部１１や背部１２を立体化させ、前記脚部１３から立ち上げた支持片１４と、前記背部１２から立ち上げた固定片１６とを近接させて、固定片１６の挿入部１７を支持片１４の挿入孔１５に挿入することにより（図３を参照）、上記立体化させた状態を固定することが出来る（図２を参照）。そこで商品であるＣＤを台部１１上に載置して背部１２に持たせ掛けるとＣＤの陳列状態となる。この商品展示台は１枚ものの厚紙１から組み立てられたものであり、従来品のような別体の脚部を予め用意しておき本体部分に貼り付けるなどの手間が不要でありながら丈夫でバランス的にも安定した商品展示台となっている。【００３０】  第２実施形態
図４の商品展示台では厚紙４は、図の横方向に走る２本の山折り線６２，６３によって図の上下方向に３分割され、下端が底部４３となり上端が背面板４４として用いられる。その中間の部位には縦方向に図示しない２本の切り込み線５，５（図５を参考のこと）が上下端部（山折り線６２，６３）を残すように刻設されており、２本の切り込み線５，５の外側の部位が枠部４０とされる。この切り込み線５，５の上側の端部同士を結ぶ横方向の山折り線６と、切り込み線５，５の下側の端部同士を結ぶ横方向の山折り線６０と、これ等の山折り線６，６０の間で下側の山折り線６０に近い部分に左右の切り込み線５，５を結ぶように設けた谷折り線６１とが設けられている。なお前記背面板４４の上端部にも山折り線６４が形成されており、ここを山折りすることにより得られる係合部４５と底部４３の下端部とは、図示しない係合手段によって組み付けられ固定される。【００３１】  ここで前記背面板４４の山折り線６３−６４間の長さが前記中間の部位の山折り線６２−６３間の長さよりも小さく設けられているため、底部４３の下端部に係合部４５を係合させると、左右の枠部４０，４０がたわむと共に谷折り線６１が折られてその下側の台部４１と上側の背部４２との間に角度が形成される。このように立体化が起こって固定されることで、台部４１と背部４２を商品展示のために用いることが出来るようになる。【００３２】  第３実施形態
上述した第２実施形態では、底部４３の下端部に係合部４５を係合させることで左右の枠部４０，４０をたわませてその状態を固定していた。これに対してこの実施形態の商品展示台（図５のもの）では、谷折り線６１の両端部に設けた、背部４２側のスリット４７入りの掛止片４６と、同じく台部４１側のスリット４９入りの掛止片４８とを、スリット４７，４９同士を噛み合わせることで、谷折り線６１に角度を付けて固定させている点に特徴を有する。【００３３】  このため背部４２側には、谷折り線６１上を切り込み線５に至る切り込み線５１が刻設されており、これと平行に切り込み線５に至る切り込み線５０が刻設されており、この間を内側へ折り込む（山折りである）ことによって、掛止片４６が形成されるようになっている。この掛止片４６の下縁部の中央部に前記スリット４７が刻設されている。また掛止片４６の山折り線と同じ上下方向のライン上を、前記谷折り線６１から下方に向けて前記スリット４９が刻設されており、これより内側には前記谷折り線６１から下方に向け切り込み線５２が刻設されている。また前記切り込み線５１は切り込み線５からこの切り込み線５２の位置まで刻設されている。従ってこの部位は下方に折り込む（山折りである）ことによって掛止片４８が形成されるようになっている。【００３４】  第４実施形態
上述した第１実施形態では、切り込み線２，２の上側の端部同士を結ぶ横方向の山折り線３と、切り込み線２，２の下側の端部同士を結ぶ横方向の山折り線３０と、これ等の山折り線３，３０の間で下側の山折り線３０に近い部分に、左右の切り込み線を結ぶように設けた谷折り線３１とが設けられている。これに対して第４実施形態の特徴は、切り込み線２，２の間には谷折り線３１しか形成されておらす、山折り線３，３０は設けられていない点にある（図６）。【００３５】  従って固定片１６の挿入部１７を支持片１４の挿入孔１５に挿入することにより、上記立体化させた状態を固定することが出来るのであるが、この際に左右の切り込み線２，２を結ぶ山折り線は出現せず、この部位は図７で表わされているようにカーブを描いているのである。こうであっても台部１と背部１とは形成されており、この部位を商品展示のために用いることが出来るのである。なおこの実施形態では左右の枠部１０，１０間に透明帯７が架けられており、台部１上に載置された展示商品が不本意に手前に倒れたりしないようになっている。【００３６】  第５実施形態
次に図８及び図９を用いてこの実施形態の商品展示台を説明する。このものはその殆どの部位を上述した第１実施形態の商品展示台に倣うものであるが、山折り線３０で山折りする際に掛止片１８が立ち上がるように切り込み線が入れられており、また向かって右側の枠部１０から背部１２の方向に掛止片１９が突出するように切り込み線２が成形されている点に特徴を有する。なお厚紙１の頂部は具象体や抽象図形を表わす飾り縁１００とすることが出来る。またこの部位を告知面に取ることも可能である。【００３７】  図９は透明板７０であってその下縁部の中央部分には挿入突起７１が突設されている。このものを前記台部１１と背部１２の前に、また両側の枠部１０，１０の後ろ側になるように、前記挿入突起７１を山折り線３０の中央部の切れ込み線に挿入するようにして固定する。すなわち展示商品は台部１１と背部１２と、この透明板７０との間に置かれることになる。この透明板７０の役目は展示商品を美しく見せること、展示商品が不本意に手前に倒れたりしないようにすることにある。【００３８】  第６実施形態
この実施形態の商品展示台は、上述した第２実施形態の商品展示台の背部４２に展示商品を填め込むための切欠部を設けている点に特徴を有する。すなわちここに填め込む商品（タバコ）と同じサイズの方形の切欠部４００とこの切欠部４００の４角から斜めに入れた４本の切り込み線４０１とが設けられており、４本の切り込み線４０１の先端部を結ぶようにして、前記方形の切欠部４００に平行に山折り線４０２が設けられている（図１０を参照のこと）。従ってこの山折り線４０２で山折りにするとタバコをその側面部で都合良く支持する枠体が生ずるのである。なおこう言った切欠部４００をこの背部４２に複数個並設することが可能である。【００３９】  第７実施形態
この実施形態の商品展示台は上述した第２実施形態の商品展示台の応用例である。図中符号８は厚紙、８０は枠部、８１は台部、８２は背部、８３は底部、８４は係合部、また９，９０は山折り線、９１は谷折り線、９２〜９４は山折り線である。すなわち山折り線９３を境にして表裏両側に（複数箇所に）商品展示面が形成されている（図１１を参照のこと）。この場合に両側の商品展示面は互いに、相手が立体化した状態を固定的に維持するための部材であると見做すことが出来る。
【産業上の利用可能性】
【００４０】  この発明の脚部一体型の商品展示台では、上述したように谷折り線を設けることなく、この部位がカーブするような構造とする設計が可能であり，このようなものもこの発明の権利範囲内のものである。なおこの発明の商品展示台にＬＥＤ（Ｌｉｇｈｔ  Ｅｍｉｔｔｉｎｇ  Ｄｉｏｄｅ）などによる電飾を施すことが出来る。また電磁駆動ムーブメントを備えて人形などを動かすようにすることも可能である。あるいは音声合成ＩＣ（Ｉｎｔｅｇｒａｔｅｄ  Ｃｉｒｃｕｉｔ）を内蔵して音声やメロディーを流すようにすることが出来る。なお商品展示面が立体化した状態を固定的に維持し得るものであれば、脚部（底部）を揺り椅子の船底のように形成出来るようにして商品展示台を揺動自在としても面白い。またこの発明の商品展示台はそもそもが一枚の板状体になるものであるから、いわゆるリバーシブルとして表裏どちらの側を表にしても組み立てることが出来る。従って例えば板状体に印刷する図柄などを表裏で異なるものにするなどすれば良い。
【図面の簡単な説明】
【００４１】
【図１】  第１実施形態の展開図である。
【図２】  同実施形態の使用状態を説明する斜視図である。
【図３】  同実施形態の使用状態を説明する側面図である。
【図４】  第２実施形態の使用状態を説明する側面図である。
【図５】  第３実施形態の部分展開図である。
【図６】  第４実施形態の部分展開図である。
【図７】  同実施形態の使用状態を説明する斜視図である。
【図８】  第５実施形態の使用状態を説明する斜視図である。
【図９】  同実施形態の透明板７０の正面図である。
【図１０】  第６実施形態の部分展開図である。
【図１１】  第７実施形態の使用状態を説明する側面図である。
【符号の説明】
【００４２】１      厚紙
１０    枠部
１１    台部
１２    背部
１３    脚部
１４    支持片
１５    挿入孔
１６    固定片
１７    挿入部
１８    掛止片
１９    掛止片
１００  飾り縁
２      切り込み線
２０    切り込み線
２１    切り込み線
２２    切り込み線
３      山折り線
３０    山折り線
３１    谷折り線
３２    山折り線
３３    山折り線
３４    山折り線
４      厚紙
４０    枠部
４１    台部
４２    背部
４３    底部
４４    背面板
４５    係合部
４６    掛止片
４７    スリット
４８    掛止片
４９    スリット
４００  切欠部
４０１  切り込み線
４０２  山折り線
５      切り込み線
５０    切り込み線
５１    切り込み線
５２    切り込み線
６      山折り線
６０    山折り線
６１    谷折り線
６２    山折り線
６３  山折り線
６４    山折り線
７      透明帯
７０    透明板
７１    挿入突起
８      厚紙
８０    枠部
８１    台部
８２    背部
８３    底部
８４    係合部
９      山折り線
９０    山折り線
９１    谷折り線
９２    山折り線
９３    山折り線
９４    山折り線
【図１】
2007325899.tif 000003
【図２】
2007325899.tif 000004
【図３】
2007325899.tif 000005
【図４】
2007325899.tif 000006
【図５】
2007325899.tif 000007
【図６】
2007325899.tif 000008
【図７】
2007325899.tif 000009
【図８】
2007325899.tif 000010
【図９】
2007325899.tif 000011
【図１０】
2007325899.tif 000012
【図１１】
2007325899.tif 000013